(57)【要約】【課題】可変波長フィルタの透過波長と可変減衰器の減衰量を掃引して加入者側装置を登録するにあたり、可変減衰器の減衰量を変更する回数を最小限に抑え、かつ、低速応答の可変減衰器でも実施できる方法を提供する。【解決手段】複数の局側装置のいずれかが送信する信号に対して、可変減衰器での減衰量の最適値を取得する。最適値を取得した後、可変波長フィルタの透過波長を変更して、ディスカバリゲートを受信する。【選択図】図５
2015186221.tif 000002
【特許請求の範囲】
【請求項１】
複数の局側装置を有する収容局と、
可変減衰器、可変波長フィルタ、光強度検出器、及び、減衰量・透過波長制御部を備え、前記局側装置と光伝送路を介して接続された複数の加入者装置と
を含んで構成され、
前記複数の局側装置は、前記加入者装置に対して、それぞれ異なる波長の下り光信号を送信し、
前記複数の加入者装置は、前記局側装置に対して、それぞれ異なる送信タイミングで上り光信号を送信する
ネットワークにおいて、未登録の加入者装置を登録する方法であって、
前記複数の局側装置のいずれかが送信する信号に対して、前記可変減衰器での減衰量の最適値を取得する過程と、
前記最適値を取得した後、前記可変波長フィルタの透過波長を変更して、ディスカバリゲートを受信する過程と
を備えることを特徴とする加入者側装置登録方法。
【請求項２】
複数の局側装置を有する収容局と、
可変減衰器、可変波長フィルタ、光強度検出器、及び、減衰量・透過波長制御部を備え、前記局側装置と光伝送路を介して接続された複数の加入者装置と
を含んで構成され、
前記複数の局側装置は、前記加入者装置に対して、それぞれ異なる波長の下り光信号を送信し、
前記複数の加入者装置は、前記局側装置に対して、それぞれ異なる送信タイミングで上り光信号を送信する
ネットワークにおいて、未登録の加入者装置を登録する方法であって、
前記未登録の加入者装置の減衰量・透過波長制御部で行われる、
前記可変減衰器の減衰量を最大にする第１の過程と、
前記第１の過程の後に行われる、前記可変波長フィルタの透過波長を前記複数の局側装置の送信波長の何れかに設定する第２の過程と、
前記第２の過程の後に行われる、前記可変減衰器の減衰量を小さくする第３の過程と、
第３の過程の後に行われる、前記光強度検出器で光強度が検出されているか否かを判定する第４の過程と、
前記第４の過程での判定の結果、光強度が検出されていない場合に行われる、前記可変減衰器の減衰量が最小であるか否かを判定する第５の過程と、
前記第４の過程での判定の結果、光強度が検出された場合に行われる、前記光強度検出器での検出結果に基づいて、前記可変減衰器の減衰量を後段の受信器のダイナミックレンジ内の最適値に設定する第６の過程と、
前記第６の過程の後に行われる、ディスカバリゲートの受信を待機する第７の過程と、
前記第７の過程の後に行われる、ディスカバリゲートの受信の有無を判定する第８の過程と、
前記第８の過程での判定の結果、ディスカバリゲートを受信した場合に行われる、前記可変波長フィルタの透過波長及び前記可変減衰器の減衰量を固定する第９の過程と、
前記第８の過程での判定の結果、ディスカバリゲートを受信していない場合に行われる、待機時間が経過したか否かを判定する第１０の過程と、
前記第１０の過程での判定の結果、待機時間が経過した場合に行われる、前記可変波長フィルタの透過波長を他の波長に変更する第１１の過程と、
前記１１の過程の後に行われる、入力光強度の検出の有無を判定する第１２の過程と
を備え、
前記第５の過程での判定の結果、減衰量が最小である場合は、前記第１の過程を行い、
前記第５の過程での判定の結果、減衰量が最小でない場合は、前記第３の過程を行い、
前記第１０の過程での判定の結果、待機時間が経過していない場合は、前記第７の過程を行い、
前記第１２の過程での判定の結果、入力光強度が検出された場合は、前記第７の過程を行い、検出されない場合は、前記第１１の過程を行う
ことを特徴とする加入者側装置登録方法。
【請求項３】
前記第１２の過程において、入力光強度が検出された場合は、前記可変減衰器の減衰量を、前記第１１の過程で変更した後の透過波長における最適値に調整した後に、前記第７の過程を行う
ことを特徴とする請求項２に記載の加入者側装置登録方法。 
【発明の詳細な説明】
【技術分野】
【０００１】
この発明は、複数の局側装置を有する収容局と、１又は複数の加入者側装置とで構成されるネットワークにおける加入者側装置登録方法に関する。
【背景技術】
【０００２】
通信事業者の所有する建物（局）と加入者宅を結ぶ通信網は、アクセス系ネットワークと呼ばれる。昨今の通信容量の増大を受け、アクセス系ネットワークでは、光通信を利用することにより膨大な情報量の伝送を可能とする、光アクセス系ネットワークが主流になりつつある。
【０００３】
光アクセス系ネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅にそれぞれ設けられる複数の加入者側装置（ＯＮＵ：Ｏｐｔｉｃａｌ  Ｎｅｔｗｏｒｋ  Ｕｎｉｔ）と、光カプラとを備えて構成される。ＯＬＴ及びＯＮＵと、光カプラとは、光ファイバで接続される。
【０００４】
ＯＬＴと光カプラの間の接続には、一芯の光ファイバが用いられる。この一芯の光ファイバは、光カプラにより分岐され複数のＯＮＵにより共有される。また、光カプラは、安価な受動素子である。このように、ＰＯＮは、経済性に優れ、また、保守も容易である。このため、ＰＯＮの導入は、急速に進んでいる。
【０００５】
ＰＯＮでは、各ＯＮＵからＯＬＴに送られる信号（以下、上り光信号と称することもある）は、光カプラで合波されてＯＬＴに送信される。一方、ＯＬＴから各ＯＮＵに送られる信号（以下、下り光信号と称することもある）は、光カプラで分波されて各ＯＮＵに送信される。なお、上り光信号と下り光信号との干渉を防ぐために、上り光信号と下り光信号には、それぞれ異なる波長が割り当てられる。
【０００６】
また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。ＴＤＭ−ＰＯＮでは、ＴＤＭＡ（Ｔｉｍｅ  Ｄｉｖｉｓｉｏｎ  Ｍｕｌｔｉｐｌｅ  Ａｃｃｅｓｓ）が用いられている。ＴＤＭＡは、ＯＬＴが、各ＯＮＵの送信タイミングを管理して、異なるＯＮＵからの上り光信号同士が衝突しないように制御する技術である。
【０００７】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。
【０００８】
ＧＥ−ＰＯＮシステムにおいて、ＯＬＴとＯＮＵとの間の通信を行うためには、ＯＬＴにＯＮＵを登録する必要がある。ＧＥ−ＰＯＮシステムでは、１つのＯＬＴに対して、複数のＯＮＵが接続されているため、新たなＯＮＵの登録は、他の登録済みのＯＮＵとＯＬＴとの間の通信に影響することなく行われる必要がある。そのため、上記ＩＥＥＥ８０２．３ａｈ（以下、標準と称する）では、未登録のＯＮＵがＯＬＴに検出され、登録される手順（以下、ディスカバリシーケンスと称する）が規定されている。
【０００９】
ＯＬＴは、周期的にディスカバリゲートをブロードキャスト送信する。ディスカバリゲートは、ＯＮＵが登録されているか否かに関わらず全てのＯＮＵに対して送信される。なお、ＯＬＴがディスカバリゲートを送信する周期をディスカバリ周期と称する。ＰＯＮシステムに新たに接続されたＯＮＵは、電源がＯＮ状態になり、信号の受信が可能な状態になると、周期的にディスカバリゲートを受信する。
【００１０】
未登録のＯＮＵでは、ディスカバリゲートを受信すると、ＯＬＴに対して登録を要求するレジスタリクエストを送信する。レジスタリクエストには、各ＯＮＵの個体識別番号としてのＭＡＣアドレスが含まれている。
【００１１】
一方、ＯＬＴでは、ディスカバリウィンドウが設定されている。ＯＬＴは、このウィンドウが開いている時間の間、レジスタリクエストの受信を待つ。
【００１２】
ＯＬＴは、レジスタリクエストを受信することで、ＯＮＵのＭＡＣアドレスを認識する。ＯＬＴは、認識したＭＡＣアドレスを有するＯＮＵ宛にレジスタを送る。レジスタには、ＰＯＮシステムにおけるリンク番号（ＬＬＩＤ）が含まれている。
【００１３】
また、ＯＬＴは、レジスタの送信に続いて、送信帯域及び送信タイミングを通知して、上り光信号の送信を許可するゲートをＯＮＵに送る。
【００１４】
ゲートを受信したＯＮＵは、レジスタアック（ＡＣＫ）をＯＬＴに対して送信する。ＯＬＴがレジスタアックを受信すると、ＯＮＵの登録が完了する。すなわち、ディスカバリシーケンスが終了する。
【００１５】
ＯＮＵが登録された後は、ＯＬＴ−ＯＮＵ間の通常の通信が行われる。
【００１６】
ところで、ＴＤＭ及びＷＤＭを併用したＰＯＮシステム（以下、ＴＷＤＭ−ＰＯＮとも称する）が提案されている。ＴＷＤＭ−ＰＯＮでは、例えば収容局が複数のＯＬＴを有している。
【００１７】
ＴＷＤＭ−ＰＯＮでは、各ＯＬＴに、それぞれ異なる送信波長が割り当てられる。そして、各ＯＬＴは、割り当てられた波長の下り光信号を送信する。一方、ＯＮＵは、ＯＬＴからの下り光信号によって通知された送信波長及び送信タイミングで上り光信号を送信する。各ＯＮＵには、それぞれ異なる送信タイミングが割り当てられる。ＴＷＤＭ−ＰＯＮでは、管理するＯＮＵを、複数のＯＬＴで振り分けて管理し、１つのＯＬＴが管理するＯＮＵを減らすことにより、加入者に提供するサービス帯域を増大させることができる。
【００１８】
ここで、ＴＷＤＭ−ＰＯＮでは、ＯＮＵは、複数のＯＬＴのうちのいずれかに登録されればよい。既に説明したように、ＴＷＤＭ−ＰＯＮでは、ＯＮＵは、ＯＬＴに応じた波長で通信を行うため、送信及び受信可能な波長が可変であるのが好ましい。
【００１９】
そこで、ＴＷＤＭ−ＰＯＮにおいて、ＯＮＵに可変波長フィルタ（Ｔ−ＦＬ）を設ける構成がある（例えば、特許文献１参照）。
【００２０】
この構成において、未登録のＯＮＵは、可変波長フィルタの透過波長を掃引して、ディスカバリゲートを待機する。
【００２１】
未登録のＯＮＵは、下り光信号が入力されると、その光パワーを測定する。そして、測定された光パワーがある値よりも小さい場合には、可変波長フィルタの透過波長を変更し、異なる透過波長を設定する。
【００２２】
また、測定された光パワーがある値以上の場合には、未登録のＯＮＵは、下り光信号がディスカバリゲートであるか否かを判定する。ディスカバリゲートが検出されれば、上述した各過程により、ディスカバリシーケンスが行われる。一方、ディスカバリゲートが検出されなければ、ディスカバリゲートを一定時間待機する。この一定時間の間にディスカバリゲートを受信しない（すなわちタイムアウトとなる）場合には、再び可変波長フィルタの透過波長を変更し、異なる透過波長を設定する。
【００２３】
ＴＷＤＭ−ＰＯＮでは、光送信器をより高い光強度で発光させて従来の伝送距離以上に離れた場所に位置するＯＮＵとの通信を可能にする。しかし、より高い光強度で発光させると、近距離に位置するＯＮＵへ入力される光強度が高すぎて、受信器が故障する可能性がある。このため、受信器の前に可変光減衰器（ＶＯＡ）を挿入して、伝送距離に応じた最適な光強度で下り光信号が入力されるようにする技術も報告されている（例えば、特許文献２参照）。
【先行技術文献】
【特許文献】
【００２４】
【特許文献１】特開２０１１−００４２７０号公報
【特許文献２】特開２０１２−０１９２６４号公報
【発明の概要】
【発明が解決しようとする課題】
【００２５】
特許文献２に記載されている構成に対して、上述したディスカバリシーケンスを行うと、ＯＮＵはディスカバリゲートのタイミング、波長、及び光強度が分からないため、Ｔ−ＦＬの中心波長掃引と、ＶＯＡの減衰量掃引が必要となる。Ｔ−ＦＬの中心波長をディスカバリゲートの波長に設定し、ＶＯＡの減衰量を最適値に調整して初めてディスカバリゲートを受信することができる。
【００２６】
このためのＴ−ＦＬとＶＯＡの掃引方法として、Ｔ−ＦＬを波長１に固定し、ＶＯＡの減衰量を最大から徐々に減少させて、パワーモニタにおける光強度が受信器のダイナミックレンジに収まるように調整する方法が考えられる。この場合、ＶＯＡが掃引完了してもパワーモニタに光強度が検出されなかった場合、その波長による下り信号は送信されていないと判断して、次の波長にシフトする。また、下り信号を検出して、更に光強度を最適化した状態で、一定時間待機してもディスカバリゲートを受信できなかった場合は、その波長においてディスカバリゲートは送信されていないと判断して、次の波長にシフトする。この場合、波長シフト後には、再びＶＯＡの減衰量を最大から徐々に減少させる。
【００２７】
しかし、この方法では、ＶＯＡの減衰量を変更する回数が多くなるので、低速応答のＶＯＡでは、最低な光強度に設定するまでの時間が問題になる。一方、高速応答のＶＯＡは価格が高くなるため、光アクセスネットワークへの適用を考えると、コストの問題が出てくる。    
【００２８】
この発明は、上述の問題点に鑑みてなされたものであり、この発明の目的は、加入者側装置登録方法であり、ＶＯＡの減衰量を変更する回数を最小限に抑え、かつ、低速応答のＶＯＡでも実施できるＴ−ＦＬとＶＯＡの掃引方法を提供することにある。
【課題を解決するための手段】
【００２９】
上述した目的を達成するために、この発明の加入者側装置登録方法は、複数の局側装置を有する収容局と、可変減衰器、可変波長フィルタ、光強度検出器、及び、減衰量・透過波長制御部を備え、局側装置と光伝送路を介して接続された複数の加入者装置とを含んで構成され、複数の局側装置は、加入者装置に対して、それぞれ異なる波長の下り光信号を送信し、複数の加入者装置は、局側装置に対して、それぞれ異なる送信タイミングで上り光信号を送信するネットワークにおいて、未登録の加入者装置を登録する方法であって、以下の過程を備えている。
【００３０】
先ず、複数の局側装置のいずれかが送信する信号に対して、可変減衰器での減衰量の最適値を取得する。最適値を取得した後、可変波長フィルタの透過波長を変更して、ディスカバリゲートを受信する。
【発明の効果】
【００３１】
この発明の加入者側装置登録方法によれば、コストの高い、高速応答のＶＯＡを用いることなく、従来の登録方法に比べて、ディスカバリゲートを受信するまでの時間を短縮することができる。
【図面の簡単な説明】
【００３２】
【図１】ＴＷＤＭ−ＰＯＮの模式図である。
【図２】ＯＮＵの模式図である。
【図３】ディスカバリシーケンスを示す図である。
【図４】第１の登録方法を説明するための処理フロー図である。
【図５】第１の登録方法の動作のイメージを示す模式図である。
【図６】従来の登録方法の動作のイメージを示す模式図である。
【図７】第２の登録方法を説明するための処理フロー図である。
【図８】第２の登録方法の動作のイメージを示す模式図である。
【発明を実施するための形態】
【００３３】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３４】
（ＴＷＤＭ−ＰＯＮ）
この発明による加入者側装置登録方法は、ＴＷＤＭ−ＰＯＮで用いられる。そこで、先ず、図１を参照してＴＷＤＭ−ＰＯＮの構成について説明する。図１は、ＴＷＤＭ−ＰＯＮの模式図である。
【００３５】
ＴＷＤＭ−ＰＯＮ１０は、複数のＯＬＴ２００と、複数のＯＮＵ４００と、複数の光カプラ３００を含んで構成されている。複数のＯＬＴ２００は、それぞれ送受信器（ＴＲｘ）２１０を経て１つの光カプラ３００に光ファイバで接続されている。また、複数のＯＮＵ４００は、それぞれ光カプラ３００に光ファイバで接続されている。光カプラ３００間も光ファイバで接続されている。
【００３６】
ＴＷＤＭ−ＰＯＮ１０では、各ＯＬＴ２００に、それぞれ異なる送信波長が割り当てられる。そして、各ＯＬＴ２００は、割り当てられた波長の下り光信号を送信する。一方、ＯＮＵ４００は、ＯＬＴ２００から下り光信号によって通知された送信波長及び送信タイミングで上り光信号を送信する。各ＯＮＵ４００には、それぞれ異なる送信タイミングが割り当てられる。
【００３７】
複数のＯＬＴ２００は、収容局１００内に設けられていて、スイッチング素子（Ｌ２ＳＷ）１２０により上位ネットワークに接続されている。
【００３８】
スイッチング素子１２０は、上位ネットワークと各ＯＬＴ２００との通信経路を設定する。スイッチング素子１２０は、ＯＬＴ制御部１１０から通知される送信プランに基づいて、下りデータ信号を各ＯＬＴ２００に振り分けて送るとともに、各ＯＬＴ２００から送られた上りデータ信号を上位ネットワークに送る。また、上位ネットワークから送られる下りデータ信号の宛先やトラフィックなどの情報をＯＬＴ制御部１１０に通知する。
【００３９】
収容局１００が備えるＯＬＴ制御部１１０は、ＰＯＮリンクを確立しているＯＮＵ４００（ＰＯＮリンク情報）を管理している。ＯＬＴ制御部１１０は、ＰＯＮリンク情報をＲＡＭ（Ｒａｎｄｏｍ  Ａｃｃｅｓｓ  Ｍｅｍｏｒｙ）等の記憶部（図示を省略する）に読み出し及び書き換え自在に格納している。そして、ＯＬＴ制御部１１０は、スイッチング素子１２０から受け取る宛先やトラフィックなどの情報と、ＰＯＮリンク情報に基づいて送信プランを作成する。ＯＬＴ制御部１１０は、送信プランをスイッチング素子１２０及び各ＯＬＴ２００に通知する。
【００４０】
また、ＯＬＴ制御部１１０は、下り光信号の波長を各ＯＬＴに通知する波長設定信号を生成する。波長設定信号はＯＬＴ２００に送られる。既に説明したように、ＴＷＤＭ−ＰＯＮ１０では、各ＯＬＴ２００−ＯＮＵ４００間において、特定の波長で通信を行う。従って、ＯＬＴ制御部１１０は、各ＯＬＴ２００に対して、それぞれ互いに異なる波長の下り光信号を設定させる。
【００４１】
また、ＯＬＴ制御部１１０は、送信プランに基づいて、ディスカバリシーケンスを行うＯＬＴ２００を決定する。
【００４２】
この発明による加入者側装置登録方法を行うに当たり、ＯＬＴ２００は任意好適な従来公知のものを用いることができる。
【００４３】
（ＯＮＵ）
図２を参照して、この発明の実施形態に係るＯＮＵについて説明する。図２は、ＯＮＵの模式図である。
【００４４】
ＯＮＵ４００は、ＷＤＭ（Ｗａｖｅｌｅｎｇｔｈ  Ｄｉｖｉｓｉｏｎ  Ｍｕｌｔｉｐｌｅｘ）フィルタ４１０、波長可変送信器（波長可変Ｔｘ）４２０、ＯＮＵ  ＭＡＣ（Ｍｅｄｉａ  Ａｃｃｅｓｓ  Ｃｏｎｔｒｏｌ）４３０、ＵＮＩ（Ｕｓｅｒ  ｎｅｔｗｏｒｋ  Ｉｎｔｅｒｆａｃｅ）４４０、可変減衰器（ＶＯＡ）４５０、可変波長フィルタ（Ｔ−ＦＬ）４６０、受信器（Ｒｘ）４７０及び、ＶＯＡ／Ｔ−ＦＬ制御部４８０を備えて構成される。
【００４５】
ＷＤＭフィルタ４１０は、上り送信波長帯と下り送信波長帯とを波長合波及び波長分波して、波長可変Ｔｘ４２０から受け取った上り送信波長帯の光信号（上り信号）をＯＬＴへ向けて送信し、ＯＬＴから受け取った下り送信波長帯の光信号（下り信号）をＶＯＡ４５０へ送る。
【００４６】
波長可変Ｔｘ４２０は、送信先のＯＬＴに対応した波長で上り信号を生成し、ＷＤＭフィルタ４１０へ送る。この上り信号の波長は、ＯＮＵ  ＭＡＣ４３０から指示される。
【００４７】
ＯＮＵ  ＭＡＣ４３０は、ＯＬＴとの通信確立用の制御を実行するＭＰＣＰ（Ｍｕｌｔｉｐｏｉｎｔ  Ｃｏｎｔｒｏｌ  Ｐｒｏｔｏｃｏｌ）機能を有している。このＯＮＵ  ＭＡＣ４３０は、ディスカバリシーケンスにおいて、ディスカバリゲートの受信判定を行う。
【００４８】
ＵＮＩ４４０は、ユーザ端末との接続用のインタフェースであり、例えば、Ｅｔｈｅｒｎｅｔ（登録商標）  ＰＨＹ等が実装される。
【００４９】
ＶＯＡ４５０は、入力された光強度を、減衰させて出力させるものであり、この光強度の減衰量を変更することができる。このＶＯＡは、高い光強度の光が入力されることによる後段のデバイスの故障を防ぐためにＷＤＭフィルタ４１０の直後に挿入される。
【００５０】
Ｔ−ＦＬ４６０は、所定の透過波長の光を透過させる波長フィルタであり、この透過波長を変更することができる。このＴ−ＦＬ４６０は、ＶＯＡ４５０の後段に挿入される。
【００５１】
Ｒｘ４７０は、Ｔ−ＦＬ４６０の後段に挿入されていて、ＶＯＡ４５０及びＴ−ＦＬ４６０を経て受け取った信号をＯＮＵ  ＭＡＣ４３０及びＵＮＩ４４０を経てユーザ端末に送る。
【００５２】
Ｔ−ＦＬ４６０の出力は、２分岐されて、一方はＲｘ４７０に送られ、他方は、ＶＯＡ／Ｔ−ＦＬ制御部４８０に送られる。なお、ここでは、Ｒｘ４７０に送られる信号強度と、ＶＯＡ／Ｔ−ＦＬ制御部４８０に送られる信号強度の比を１０：１としている。
【００５３】
ＶＯＡ／Ｔ−ＦＬ制御部４８０は、光強度検出器としてのパワーモニタ４８２、電流−電圧（Ｉ−Ｖ）変換器４８４、ログ増幅器４８６、アナログデジタル変換器（ＡＤＣ：Ａｎａｌｏｇ  Ｄｉｇｉｔａｌ  Ｃｏｎｖｅｒｔｅｒ）４８８及び制御回路４９０を備えている。
【００５４】
パワーモニタ４８２は、Ｔ−ＦＬ４６０の出力である入力光強度を測定して、その結果を電流信号として出力する。Ｉ―Ｖ変換器４８４は、パワーモニタ４８２の出力である電流信号を電圧信号に変換する。この電圧信号は、ログ増幅器４８６で適切な電圧レベルに増幅された後、ＡＤＣ４８８によりデジタル信号に変換されて、制御回路４９０に送られる。
【００５５】
制御回路４９０は、この入力光強度を示す信号に従って、ＶＯＡ４５０の減衰量を調整する。また、制御回路４９０はＴ−ＦＬ４６０の波長を制御する。ＶＯＡ４５０の減衰量の変更、及び、Ｔ−ＦＬ４６０の透過波長の変更は、この制御回路４９０の指示で行われる。制御回路４９０はＯＮＵ  ＭＡＣ４３０と接続されていて、ＯＮＵ  ＭＡＣ４３０からディスカバリゲートの受信判定結果や、その他の制御信号の情報を受け取ることができる。この制御回路４９０は、マイコン等を用いて実現できる。
【００５６】
制御回路４９０における、ＶＯＡ４５０の減衰量の変更、及び、Ｔ−ＦＬ４６０の透過波長の変更の方法については、後述する。
【００５７】
(ディスカバリシーケンス)
図３を参照して、この発明で用いられるディスカバリシーケンスについて説明する。図３は、ＩＥＥＥ８０２．３ａｖにて規定されているディスカバリシーケンスを示す図である。
【００５８】
先ず、ＯＬＴはディスカバリゲートを全てのＯＮＵに対してマルチキャストする。ディスカバリゲートには、未登録のＯＮＵに対して、登録要求を示す信号（Ｒｅｇｉｓｔｅｒ  ＿ＲＥＱ）の送信タイミングが搭載されている。
【００５９】
ディスカバリゲートを受信した未登録のＯＮＵは、ディスカバリゲートの指示に従って、Ｒｅｇｉｓｔｅｒ＿ＲＥＱをＯＬＴに送信する。なお、既に登録されているＯＮＵは、このディスカバリゲートを無視する。
【００６０】
ＯＬＴは、ディスカバリゲートを送信した後、上りデータ信号の受信をいったん停止して、ｒｅｇｉｓｔｅｒ＿ＲＥＱを受信する。この上りデータ信号を停止する時間は、ディスカバリウィンドウと呼ばれる。このディスカバリウィンドウの間にＲｅｇｉｓｔｅｒ＿ＲＥＱを送信したＯＮＵに対して、ＯＬＴは個別のＩＤ（ＬＬＩＤ：Ｌｏｇｉｃａｌ  Ｌｉｎｋ  ＩＤ）をＲｅｇｉｓｔｅｒ信号にて送信する。その後、Ｒｅｇｉｓｔｅｒ信号を送信したＯＮＵに対して、ＡＣＫ返信用のＧａｔｅを送信する。
【００６１】
Ｒｅｇｉｓｔｅｒ信号を受信したＯＮＵは、付与されたＬＬＩＤを自身に設定し、Ｇａｔｅの指示に従って、Ｒｅｇｉｓｔｅｒ＿ＡＣＫをＯＬＴに送信する。
【００６２】
ＯＬＴがＲｅｇｉｓｔｅｒ＿ＡＣＫを受信するとディスカバリシーケンスは完了となる。
【００６３】
このディスカバリシーケンスは、定期的に実施され、未登録のＯＮＵの有無は、常時監視されている。
【００６４】
（第１の登録方法）
ここで、ＴＷＤＭ−ＰＯＮでは、複数のＯＬＴのうちの１つがディスカバリシーケンスを実施することが想定されている。この場合、各ＯＮＵは、ディスカバリシーケンスを行うＯＬＴからの波長及び光強度の信号を受信できるように、ＶＯＡ及びＴ−ＦＬを設定する必要がある。第１の登録方法では、先ず、ＶＯＡ４５０の減衰量の掃引を行って、減衰量の最適値を取得し、最適値を取得した後、Ｔ−ＦＬ４６０の透過波長の掃引を行って、ディスカバリゲートを受信する。その後、ディスカバリゲートを受信した減衰量及び透過波長で、ディスカバリシーケンス及び通常の通信を行う。
【００６５】
図４を参照して、第１の登録方法の詳細を説明する。図４は、第１の登録方法を説明するための処理フロー図である。この処理は、ＯＮＵの制御回路４９０で実施される。
【００６６】
先ず、Ｓ１において、ＶＯＡ４５０の減衰量を最大に設定する。
【００６７】
次に、Ｓ２において、Ｔ−ＦＬの透過波長を複数のＯＬＴの送信波長のうちのいずれかに変更する。
【００６８】
次に、Ｓ３において、ＶＯＡ４５０の減衰量を小さくする。すなわち、ＶＯＡ４５０の出力強度を大きくする。このＶＯＡ４５０の減衰量の変更量は、ＶＯＡ４５０の印加電圧と減衰量との関係（減衰特性）により決定される。
【００６９】
ＶＯＡ４５０の減衰量を小さくした後、Ｓ４において、パワーモニタ４８２の出力から、入力光の光強度が検出されているか否かを判定する。
【００７０】
Ｓ４での判定の結果、光強度が検出されていない場合（Ｎｏ）は、Ｓ５において、ＶＯＡ４５０の減衰量が最小であるか否かを判定する。Ｓ５での判定の結果、減衰量が最小でない場合（Ｎｏ）は、再び、Ｓ３において、ＶＯＡ４５０の減衰量を小さくし、Ｓ４の判定を行う。
【００７１】
Ｓ２において設定した波長において、入力光強度が検出されるまで、Ｓ３〜Ｓ５の過程を繰り返し、ＶＯＡ４５０の減衰量を小さくしていく。このＳ３〜Ｓ５の過程を繰り返した結果、Ｓ５での判定においてＶＯＡ４５０の減衰量が最小になった場合（Ｙｅｓ）は、再びＳ１の過程を行う。すなわち、ＶＯＡ４５０の減衰量を最大に設定した後、Ｔ−ＦＬ４６０の透過波長を他の波長に変更して、Ｓ３〜Ｓ５の過程を行う。
【００７２】
なお、Ｓ２で設定した波長で送信を行うＯＬＴがスリープ状態にある場合には、Ｓ５での判定においてＶＯＡ４５０の減衰量が最小になることが考えられる。一方、Ｓ２で設定した波長で送信を行うＯＬＴがアクティブ状態にあり、通信を行っている場合には、このＯＬＴは、Ｓ２で設定した波長で他のＯＮＵ宛の下り光信号を送信している。そのため、Ｓ３〜Ｓ５の過程を繰り返し、ＶＯＡ４５０の減衰量を調整することによって、Ｓ４においてＯＬＴからの下り光信号の強度を検出することができる。
【００７３】
Ｓ４での判定の結果、光強度が検出された場合（Ｙｅｓ）は、続いてＳ６の過程を行う。このＳ６の過程では、パワーモニタ４８２での検出結果に基づいて、ＶＯＡ４５０の減衰量を後段の受信器のダイナミックレンジ内の最適値に設定する。
【００７４】
その後、Ｓ７においてディスカバリゲートの受信を待機する。Ｓ８において、ディスカバリゲートの受信の有無を判定する。
【００７５】
Ｓ８での判定の結果、ディスカバリゲートを受信した場合（Ｙｅｓ）は、Ｓ９において、Ｔ−ＦＬ４６０の波長及びＶＯＡ４５０の減衰量を固定した後、従来と同様のディスカバリシーケンスを行って、登録処理を完了する。
【００７６】
Ｓ８での判定の結果、ディスカバリゲートを受信していない場合（Ｎｏ）は、Ｓ１０において、待機時間が経過したか否かを判定する。この待機時間は、ディスカバリ周期等に応じて設定される。
【００７７】
Ｓ１０での判定の結果、待機時間が経過していない場合（Ｎｏ）は、再び、Ｓ７、Ｓ８及びＳ１０を行う。このＳ７、Ｓ８及びＳ１０は、待機時間が経過するまで繰り返される。
【００７８】
Ｓ１０での判定の結果、待機時間が経過した場合（Ｙｅｓ）は、Ｓ２で設定した波長で送信を行うＯＬＴは送信をおこなっているが、ディスカバリシーケンスを行っていないことが考えられる。
【００７９】
この場合は、Ｓ１１において、Ｔ−ＦＬ４６０の透過波長を他の波長に変更した後、Ｓ１２において、入力光強度の検出の有無を判定する。このＳ１１及びＳ１２は、上述のＳ２及びＳ４と同様に行われる。Ｓ１２において入力光強度が検出された場合（Ｙｅｓ）は、Ｓ７を行い、検出されない場合（Ｎｏ）は、Ｓ１１を行う。
【００８０】
図５及び図６を参照して、この第１の登録方法の効果について説明する。図５は、この登録方法の動作のイメージを示す模式図である。また、図６は、従来の登録方法の動作のイメージを示す模式図である。
【００８１】
図５に示すように、この登録方法では、先ず波長１において、Ｓ１〜Ｓ６の過程を行い、ＶＯＡ減衰量を決定した後、Ｓ７〜Ｓ１２の過程を行う。Ｓ７〜Ｓ１２では、ＶＯＡの減衰量を固定した状態で、Ｔ−ＦＬの透過波長のみを変更していく。この結果、ＶＯＡの減衰量の変更回数を抑えることができる。
【００８２】
これに対し、図６に示す従来方法では、ディスカバリゲートを受信するまで、波長ごとにＶＯＡの減衰量の変更を行うことになる。
【００８３】
このように、この第１の登録方法によれば、コストの高い、高速応答のＶＯＡを用いることなく、従来の登録方法に比べて、ディスカバリゲートを受信するまでの時間を短縮することができる。
【００８４】
（第２の登録方法）
図７及び図８を参照して、第２の登録方法を説明する。図７は、第２の登録方法を説明するための処理フロー図である。この処理は、ＯＮＵの制御回路４９０で実施される。また、図８は、第２の登録方法の動作のイメージを示す模式図である。
【００８５】
第２の登録方法では、Ｓ１２において入力光強度が検出された場合（Ｙｅｓ）は、Ｓ１３において、ＶＯＡ減衰量を最適値に調整した後に、Ｓ７を行う点が第１の登録方法と異なっており、他の過程は、第１の登録方法と同様であるので、重複する説明を省略する。
【００８６】
ＯＬＴからＯＮＵへの光信号を伝送する際の波長による損失の違いなどにより、ＯＮＵが受信する光強度が、波長により異なる場合がある。この場合は、ある波長で設定した減衰量の最適値が、他の波長で最適であるとは限らない。従って、この第２の登録方法では、Ｓ１１及びＳ１２において、透過波長を変更して光強度を検出した後、ＶＯＡの減衰量をその波長での最適値に設定する。
【００８７】
この第２の登録方法によれば、受信する光強度に波長依存性がある場合でも、ＶＯＡの減衰量を、処理時間を大幅に増やすことなく、最適値に設定することができる。
【符号の説明】
【００８８】
１０    ＴＷＤＭ−ＰＯＮ
１００    収容局
１１０    ＯＬＴ制御部
２００    局側装置（ＯＬＴ）
２１０    送受信器（ＴＲｘ）
３００    光カプラ
４００    加入者側装置（ＯＮＵ）  
４１０    ＷＤＭフィルタ
４２０    波長可変送信器（波長可変Ｔｘ）
４３０    ＯＮＵ  ＭＡＣ
４４０    ＵＮＩ
４５０    可変減衰器（ＶＯＡ）
４６０    可変波長フィルタ（Ｔ−ＦＬ）
４７０    受信器（Ｒｘ）
４８０    ＶＯＡ／Ｔ−ＦＬ制御部
４８２    パワーモニタ
４８４    電流−電圧（Ｉ−Ｖ）変換器
４８６    ログ増幅器
４８８    アナログデジタル変換器（ＡＤＣ）
４９０    制御回路
【図１】
2015186221.tif 000003
【図２】
2015186221.tif 000004
【図３】
2015186221.tif 000005
【図４】
2015186221.tif 000006
【図５】
2015186221.tif 000007
【図６】
2015186221.tif 000008
【図７】
2015186221.tif 000009
【図８】
2015186221.tif 000010
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
複数の局側装置を有する収容局と、
可変減衰器、可変波長フィルタ、光強度検出器、及び、減衰量・透過波長制御部を備え、前記局側装置と光伝送路を介して接続された複数の加入者装置と
を含んで構成され、
前記複数の局側装置は、前記加入者装置に対して、それぞれ異なる波長の下り光信号を送信し、
前記複数の加入者装置は、前記局側装置に対して、それぞれ異なる送信タイミングで上り光信号を送信する
ネットワークにおいて、未登録の加入者装置を登録する方法であって、
前記未登録の加入者装置の減衰量・透過波長制御部で行われる、
前記可変減衰器の減衰量を最大にする第１の過程と、
前記第１の過程の後に行われる、前記可変波長フィルタの透過波長を前記複数の局側装置の送信波長の何れかに設定する第２の過程と、
前記第２の過程の後に行われる、前記可変減衰器の減衰量を小さくする第３の過程と、
第３の過程の後に行われる、前記光強度検出器で光強度が検出されているか否かを判定する第４の過程と、
前記第４の過程での判定の結果、光強度が検出されていない場合に行われる、前記可変減衰器の減衰量が最小であるか否かを判定する第５の過程と、
前記第４の過程での判定の結果、光強度が検出された場合に行われる、前記光強度検出器での検出結果に基づいて、前記可変減衰器の減衰量を後段の受信器のダイナミックレンジ内の最適値に設定する第６の過程と、
前記第６の過程の後に行われる、ディスカバリゲートの受信を待機する第７の過程と、
前記第７の過程の後に行われる、ディスカバリゲートの受信の有無を判定する第８の過程と、
前記第８の過程での判定の結果、ディスカバリゲートを受信した場合に行われる、前記可変波長フィルタの透過波長及び前記可変減衰器の減衰量を固定する第９の過程と、
前記第８の過程での判定の結果、ディスカバリゲートを受信していない場合に行われる、待機時間が経過したか否かを判定する第１０の過程と、
前記第１０の過程での判定の結果、待機時間が経過した場合に行われる、前記可変波長フィルタの透過波長を他の波長に変更する第１１の過程と、
前記第１１の過程の後に行われる、入力光強度の検出の有無を判定する第１２の過程と
を備え、
前記第５の過程での判定の結果、減衰量が最小である場合は、前記第１の過程を行い、
前記第５の過程での判定の結果、減衰量が最小でない場合は、前記第３の過程を行い、
前記第１０の過程での判定の結果、待機時間が経過していない場合は、前記第７の過程を行い、
前記第１２の過程での判定の結果、入力光強度が検出された場合は、前記第７の過程を行い、検出されない場合は、前記第１１の過程を行う
ことを特徴とする加入者側装置登録方法。
【請求項２】
前記第１２の過程において、入力光強度が検出された場合は、前記可変減衰器の減衰量を、前記第１１の過程で変更した後の透過波長における最適値に調整した後に、前記第７の過程を行う
ことを特徴とする請求項１に記載の加入者側装置登録方法。 
【手続補正２】
【補正対象書類名】明細書
【補正対象項目名】００２９
【補正方法】変更
【補正の内容】
【００２９】
上述した目的を達成するために、この発明の加入者側装置登録方法は、複数の局側装置を有する収容局と、可変減衰器、可変波長フィルタ、光強度検出器、及び、減衰量・透過波長制御部を備え、局側装置と光伝送路を介して接続された複数の加入者装置とを含んで構成され、複数の局側装置は、加入者装置に対して、それぞれ異なる波長の下り光信号を送信し、複数の加入者装置は、局側装置に対して、それぞれ異なる送信タイミングで上り光信号を送信するネットワークにおいて、未登録の加入者装置を登録する方法であって、未登録の加入者装置の減衰量・透過波長制御部で行われる以下の過程を備えている。
【手続補正３】
【補正対象書類名】明細書
【補正対象項目名】００３０
【補正方法】変更
【補正の内容】
【００３０】
先ず、第１の過程において、可変減衰器の減衰量を最大にする。次に、第１の過程の後に行われる第２の過程において、可変波長フィルタの透過波長を複数の局側装置の送信波長の何れかに設定する。次に、第２の過程の後に行われる第３の過程において、可変減衰器の減衰量を小さくする。次に、第３の過程の後に行われる第４の過程において、光強度検出器で光強度が検出されているか否かを判定する。
第４の過程での判定の結果、光強度が検出されていない場合には、第５の過程において可変減衰器の減衰量が最小であるか否かを判定する。また、第４の過程での判定の結果、光強度が検出された場合には、第６の過程において、光強度検出器での検出結果に基づいて、可変減衰器の減衰量を後段の受信器のダイナミックレンジ内の最適値に設定する。
次に、第６の過程の後に行われる第７の過程において、ディスカバリゲートの受信を待機する。次に、第７の過程の後に行われる第８の過程において、ディスカバリゲートの受信の有無を判定する。
第８の過程での判定の結果、ディスカバリゲートを受信した場合には、第９の過程において、可変波長フィルタの透過波長及び可変減衰器の減衰量を固定する。また、第８の過程での判定の結果、ディスカバリゲートを受信していない場合には、第１０の過程において、待機時間が経過したか否かを判定する。
第１０の過程での判定の結果、待機時間が経過した場合には、第１１の過程において、可変波長フィルタの透過波長を他の波長に変更する。次に、第１１の過程の後に行われる第１２の過程において、入力光強度の検出の有無を判定する。
ここで、第５の過程での判定の結果、減衰量が最小である場合は、第１の過程を行い、第５の過程での判定の結果、減衰量が最小でない場合は、第３の過程を行う。
また、第１０の過程での判定の結果、待機時間が経過していない場合は、第７の過程を行い、第１２の過程での判定の結果、入力光強度が検出された場合は、第７の過程を行い、検出されない場合は、第１１の過程を行う。